(57)【要約】      （修正有）【課題】刷毛を傷めずに安定的に固定し、より多くの刷毛をペンキ缶の内部に保管ができる吊り具を提供する。【解決手段】支持板は、長方形、三角形、四角形、楕円形の形状で、支持板の両側面部の支持板Ａ面２または支持板Ｂ面３に収縮力を備えた状態のゴム４を支持板に装着して吊り具１３とする。また、刷毛５の柄部６を支持板Ａ面２または支持板Ｂ面３とゴム４との間に差し込むことで、ゴム４の弾圧が柄部６に伝わり支持板Ａ面２または支持板Ｂ面３に押し当てられ圧着によって、刷毛５を吊り上げた状態で固定し保管することができる。【選択図】図４
0003172442.tif 000002
【実用新案登録請求の範囲】
【請求項１】
支持板（１）は、長方形、三角形、四角形、楕円形の形状で、支持板（１）の両側面部の支持板Ａ面（２）または支持板Ｂ面（３）に収縮力を備えた状態のゴム（４）を支持板（１）に装着することにより吊り具（１３）が設けられ、刷毛（５）の柄部（６）を支持板Ａ面（２）または支持板Ｂ面（３）とゴム（４）との間に差し込むことで、ゴム（４）の弾圧が柄部（６）に伝わり支持板Ａ面（２）または支持板Ｂ面（３）に押し当てられ圧着によって、刷毛（５）を吊り上げた状態で固定し保管することができる支持板（１）を形成した吊り具（１３）を具備したことを、特徴とする刷毛を保管する吊り具。
【請求項２】
直線と曲線の形状を施した支持板（１）を形成することによって空洞部Ａ（１０）と空洞部Ｂ（１１）が設けられ、曲線の両側面部の支持板Ａ面（２）または支持板Ｂ面（３）に収縮力を備えた状態のゴム（４）を支持板（１）に装着することにより、ゴム（４）の弾圧を均等な割合で多種多様の刷毛（５）の柄部（６）に伝える形状の支持板（１）であって、空洞部Ａ（１０）と空洞部Ｂ（１１）の上部から刷毛（５）を差込み、柄部（６）を横にスライドさせることでゴム（４）の弾圧が柄部（６）に伝わり、支持板Ａ面（２）または支持板Ｂ面（３）に強く押し当てられ圧着によって、刷毛（５）をペンキ缶（７）の内部に吊り上げた状態で収納し保管することができる直線と曲線の形状で形成した支持板（１）を設けた吊り具（１３）を具備したことを、特徴とする刷毛を保管する吊り具。
【請求項３】
前記支持板Ａ面（２）と前記支持板Ｂ面（３）の中央部位に少なくとも一箇所以上の溝（８）を施した前記支持板（１）と、ペンキ缶（７）の端末上部に接合し安定的に設置するための切り込み部（９）と、を備えた支持板（１）を形成した前記支持板（１）を設け、収縮力を備えた状態のゴム（４）または同様の弾力性を有する超弾性特性の金属を溝（８）に装着した吊り具（１３）によって、ゴム（４）のズレ落ちを防ぎ、より多くの刷毛（５）をペンキ缶（７）の内部に吊り上げた状態に保管することができる形状の支持板（１）を設けた吊り具（１３）を具備したことを、特徴とする請求項１または請求項２に記載の刷毛を保管する吊り具。
【請求項４】
前記支持板（１）の両端末部位に凸形状の留め部（１４）を少なくとも１つ以上設け、前記支持板Ａ面（２）と前記支持板Ｂ面（３）に其々２つのゴム（４）を留め部（１４）に取り付けることにより、何れかのゴム（４）が切断した場合においても一方のゴム（４）によって吊り具（１３）の機能が保持される支持板（１）を設けた吊り具（１３）を具備したことを、特徴とする請求項１から請求項３のいずれか一項に記載の刷毛を保管する吊り具。
【考案の詳細な説明】
【技術分野】
【０００１】
本考案は、刷毛の保管に関するものである。
【背景技術】
【０００２】
登録実用新案第３１６４５４８号の刷毛の削ぎ具の１９プレートＣと２０プレートＤは空間部を備えたことにより、多種多様な刷毛を中空の状態で保管する器具が考案されている。
【０００３】
しかし、登録実用新案第３１６４５４８号は削ぎ具と兼用のため片面だけに刷毛を保管することから、より多くの刷毛を収納して保管することができないという点では問題があった。
【先行技術文献】
【特許文献】
【０００４】
【特許文献１】登録実用新案第３１６４５４８号の公報
【考案の概要】
【考案が解決しようとする課題】
【０００５】
解決しようとする問題点は、より多くの刷毛を傷めずに安定的に固定し保管する機能がない点である。
【課題を解決するための手段】
【０００６】
本考案は、この改善策として、より多くの刷毛を保管するための吊り具によって登録実用新案第３１６４５４８号の問題点を解決し、刷毛をペンキ缶内部にそのまま保管できる吊り具を設け、作業の労務を軽減させる。
【考案の効果】
【０００７】
塗装の現場作業では、数多くの色を扱うため工程ごとに、多種多様の刷毛の管理が必要になってくるが、専用の刷毛入れ箱のシンナーは、色が混ざり合い汚れているため、別途、専用の保管容器を設けなければならない。一般的に刷毛を保管する場合、シンナーを入れたペンキ缶に刷毛を納めるが、この場合、刷毛の重さで毛先が曲がるなど刷毛自身を痛めてしまう。本考案の刷毛の吊り具は、刷毛の柄部を吊り上げ固定し刷毛先を中空状態で保管するため刷毛先を傷めることが無く、さらに、支持板の両側面部を活用し大量の刷毛を保管する吊り具であることから、作業労務の軽減と刷毛の対応年数を延ばすことによる経費の削減などの効果がある。
【図面の簡単な説明】
【０００８】
【図１】図１の１は支持板（１）の正面図であり、図１の２は支持板Ａ面（２）と支持板Ｂ面（３）の側面図であり、図１の３は支持板（１）の平面図であり、図１の４は支持板（１）の側面にゴム（４）を装着した平面図であり、図１の５は刷毛（５）を挿入しペンキ缶（７）に設置した平面図である。
【図２】図２の１は支持板Ａ面（２）と支持板Ｂ面（３）の断面図であり、図２の２は支持板Ａ面（２）と支持板Ｂ面（３）の正面図であり、図２の３は支持板Ａ面（２）と支持板Ｂ面（３）の側面図であり、図２の４は支持板Ａ面（２）または支持板Ｂ面（３）にゴム（４）を装着した吊り具（１３）の側面図であり、図２の５は支持板（１）の平面図であり、図２の６は支持板（１）にゴム（４）を装着した吊り具（１３）の平面図である。
【図３】図３の１は支持板（１）の斜視図であり、図３の２は支持板（１）にゴム（４）を装着した吊り具（１３）の斜視図であり、図３の３は吊り具（１３）をペンキ缶（７）に設置した斜視図である。
【図４】図４の１はペンキ缶（７）に設置した吊り具（１３）に刷毛（５）を挿入した斜視図である。
【図５】図５の１はペンキ缶（７）に設置した吊り具（１３）に刷毛（５）を挿入した平面図である。
【考案を実施するための形態】
【０００９】
以下、図面に示す実施例により、本考案を図１から図５によって詳細に説明する。図１の５が示すように刷毛を吊り上げるための吊り具（１３）は、長方形状の支持板（１）の両側面部の支持板Ａ面（２）と支持板Ｂ面（３）の中央部に伸縮性を有するゴム（４）を収納するための図１の１〜３が示す、溝（８）によって、図１の４が示す、収縮力を備えた２つのゴム（４）を留め部（１４）に個々に取付けることで支持板Ａ面（２）と支持板Ｂ面（３）の其々の溝（８）に装着することができる。刷毛（５）の柄部（６）を支持板Ａ面（２）または支持板Ｂ面（３）とゴム（４）との間に下から上に差し込むことでゴム（４）の弾圧が柄部（６）に伝わり支持板Ａ面（２）または支持板Ｂ面（３）に押し当てられ圧着によって、刷毛（５）はズレ落ちることなく吊り上げた状態で保つことができる支持板（１）を設けた吊り具（１３）である。
【００１０】
このように、ゴム（４）の収縮性能力によって刷毛（５）を吊り上げることが可能になる支持板（１）はペンキ缶（７）の開口端末上部に接合し安定的に設置するための切り込み部（９）を両端下部に施している。なお、図１の支持板（１）の形状は長方形を用いているが、三角、四角、楕円など用途に応じた形状を用いても良い。
【００１１】
図２の５と６が示すように、直線と曲線的なＳ形状の支持板（１）を形成することにより空洞部Ａ（１０）と空洞部Ｂ（１１）が設けられ、刷毛（５）を上部から差込み横にスライドさせることで容易に吊り上げた状態に保つことができる。図２の１が示すように、支持板Ａ面（２）と支持板Ｂ面（３）には溝（８）が施されている。図２の２〜６が示すように、支持板Ａ面（２）と支持板Ｂ面（３）の一方の端末部は、凡そ７０度〜８０度の角度の形状で形成され、一方の端末部は差込口（１２）を設けるため内部に湾曲している。この形状によって差込口（１２）が設けられ、刷毛（５）をスムーズに差し込むことができる支持板（１）の形状を形成した吊り具（１３）である。さらに、両端末下部にはペンキ缶（７）の端末上部に安定的に設置するための切り込み部（９）を４箇所設けている。なお、支持板（１）の形状はペンキ缶（７）の形状に応じて異なる。
【００１２】
図３の１は、支持板（１）の斜視図であり、図３の２は、支持板（１）に伸縮性を有するゴム（４）を装着した吊り具（１３）の斜視図であり、図３の３が示すように、ペンキ缶（７）の端末上部に吊り具（１３）の切込み部（９）が接合し設置された吊り具（１３）の斜視図である。
【００１３】
図４の１が示すように、空洞部Ａ（１０）に刷毛（５）を差込みスライドさせている図で、柄部（６）がゴム（４）の弾圧によって支持板Ａ面（２）に強く圧着され、ペンキ缶（７）の内部で刷毛（５）が吊り上げられて刷毛先が中空の状態を表している斜視図である。
【００１４】
図５の１は、上部から見たペンキ缶（７）に設置された吊り具（１３）に刷毛（５）が挿入され保管している状態の平面図であり、曲線の両側面部の支持板Ａ面（２）または支持板Ｂ面（３）に収縮力を備えた状態のゴム（４）を支持板（１）に装着することにより、ゴム（４）の弾圧を均等な割合で刷毛（５）の柄部（６）に伝えていることを示した図である。
【００１５】
以上のように、図２〜図５の支持板（１）の形状は、図１の支持板（１）と異なり、刷毛（５）を容易に挿入することができる空洞部Ａ（１０）と空洞部Ｂ（１１）の空洞部を備え、より多くの刷毛（７）を収納して保管する機能を有している。図１〜図５の支持板（１）は、１つ以上のゴム（４）を引き伸ばして収縮力を備えた状態で装着することにより吊り具（１３）としての機能を有している。支持板（１）の両端末部位に凸形状の留め部（１４）を少なくとも１つ以上設け、支持板Ａ面（２）と支持板Ｂ面（３）の其々に輪形状のゴム（４）を留め部（１４）に取り付けることにより、何れかのゴム（４）が切断した場合においても一方のゴム（４）によって吊り具（１３）の機能が保持される支持板（１）を設けた。
【００１６】
前記０００９〜前記００１５に記載した材質は、金属類、プラスチック類、合成樹脂類、ゴム類などの用途に応じた素材を用い、支持板（１）の長さは、ペンキ缶（７）の開口端末上部の直径以上で、切込み部（９）は、ペンキ缶（７）の開口端末上部の直径に等しく安定的に接合しうる形状を備え、幅および厚みは、ゴム（４）の収縮能力と刷毛の重量とに耐えうる強度を有する形状の支持板（１）であって、ペンキ缶（７）に応じた形状寸法である。支持板（１）の両側面部に施される溝（８）は、少なくとも一箇所以上とし表面または内部に塗料が付着しないようにシリコン樹脂などを用いての加工処理を必要に応じ行う。また、用途に応じゴム（４）以外にゴム（４）同様の弾力性を有するハリガネまたは板状の金属（超弾性特性）等を用いてもよい。なお、図１から図５に記載した図書は実際の寸法、形状とは異なるものである。
【産業上の利用可能性】
【００１７】
このように、多種多様な刷毛（５）を保管する機能を有する吊り具（１３）は、容易に刷毛（５）を保管できるため、労務効率を向上させ、労務費および塗装刷毛などの消耗品の対応年数を延ばすことができるなど工事に関わる費用の削減を可能にした。
【符号の説明】
【００１８】
１支持板
２支持板Ａ面
３支持板Ｂ面
４ゴム
５刷毛
６柄部
７ペンキ缶
８溝
９切込み部
１０空洞部Ａ
１１空洞部Ｂ
１２差込口
１３吊り具
１４留め部
【図１】
0003172442.tif 000003
【図２】
0003172442.tif 000004
【図３】
0003172442.tif 000005
【図４】
0003172442.tif 000006
【図５】
0003172442.tif 000007
【手続補正書】
【提出日】平成23年4月27日(2011.4.27)
【手続補正１】
【補正対象書類名】実用新案登録請求の範囲
【補正対象項目名】全文
【補正方法】変更
【補正の内容】
【実用新案登録請求の範囲】
【請求項１】
支持板（１）は、長方形、三角形、四角形、楕円形の形状で、支持板（１）の両側面部の支持板Ａ面（２）または支持板Ｂ面（３）に収縮力を備えた状態のゴム（４）を支持板（１）に装着することにより吊り具（１３）が設けられ、刷毛（５）の柄部（６）を支持板Ａ面（２）または支持板Ｂ面（３）とゴム（４）との間に差し込むことで、ゴム（４）の弾圧が柄部（６）に伝わり支持板Ａ面（２）または支持板Ｂ面（３）に押し当てられ圧着によって、刷毛（５）を吊り上げた状態で固定し保管することができる支持板（１）を設けたことを、特徴とする刷毛を保管する吊り具。
【請求項２】
断面が略Ｓ字形状の支持板（１）に収縮力を備えた状態のゴム（４）を装着し、支持板（１）とゴム（４）との間に空洞部Ａ（１０）と空洞部Ｂ（１１）が設けられ、ゴム（４）の弾圧を均等な割合で多種多様の刷毛（５）の柄部（６）に伝える形状の支持板（１）であって、空洞部Ａ（１０）と空洞部Ｂ（１１）の上部から刷毛（５）を差込み、柄部（６）を横にスライドさせることでゴム（４）の弾圧が柄部（６）に伝わり、支持板Ａ面（２）または支持板Ｂ面（３）に強く押し当てられ圧着によって、刷毛（５）をペンキ缶（７）の内部に吊り上げた状態で収納し保管することができる直線と曲線の形状で形成した支持板（１）を設けたことを、特徴とする刷毛を保管する吊り具。
【請求項３】
前記支持板Ａ面（２）と前記支持板Ｂ面（３）の中央部位に少なくとも一箇所以上の溝（８）を施した前記支持板（１）と、ペンキ缶（７）の端末上部に接合し安定的に設置するための切り込み部（９）と、を備えた支持板（１）を形成した前記支持板（１）を設け、収縮力を備えた状態のゴム（４）または同様の弾力性を有する超弾性特性の金属を溝（８）に装着した吊り具（１３）によって、ゴム（４）のズレ落ちを防ぎ、より多くの刷毛（５）をペンキ缶（７）の内部に吊り上げた状態に保管することができる形状の支持板（１）を設けたことを、特徴とする請求項１または請求項２に記載の刷毛を保管する吊り具。
【請求項４】
前記支持板（１）の両端末部位に凸形状の留め部（１４）を少なくとも１つ以上設け、前記支持板Ａ面（２）と前記支持板Ｂ面（３）に其々２つのゴム（４）を留め部（１４）に取り付けることにより、何れかのゴム（４）が切断した場合においても一方のゴム（４）によって吊り具（１３）の機能が保持される支持板（１）を設けたことを、特徴とする請求項１から請求項３のいずれか一項に記載の刷毛を保管する吊り具。
【手続補正書】
【提出日】平成23年7月4日(2011.7.4)
【手続補正１】
【補正対象書類名】実用新案登録請求の範囲
【補正対象項目名】全文
【補正方法】変更
【補正の内容】
【実用新案登録請求の範囲】
【請求項１】
支持板（１）は、長方形、三角形、四角形、楕円形の形状で、支持板（１）の両側面部の支持板Ａ面（２）または支持板Ｂ面（３）に収縮力を備えた状態のゴム（４）を支持板（１）に装着した吊り具（１３）であって、刷毛（５）の柄部（６）を支持板Ａ面（２）または支持板Ｂ面（３）とゴム（４）との間に差し込むことで、ゴム（４）の弾圧が柄部（６）に伝わり支持板Ａ面（２）または支持板Ｂ面（３）に押し当てられ圧着によって、刷毛（５）を吊り上げた状態で固定し保管することができることを、特徴とする刷毛を保管する吊り具。
【請求項２】
断面が略Ｓ字形状の支持板（１）に収縮力を備えた状態のゴム（４）を装着し、支持板（１）とゴム（４）との間に空洞部Ａ（１０）と空洞部Ｂ（１１）が設けられ、ゴム（４）の弾圧を均等な割合で多種多様の刷毛（５）の柄部（６）に伝える形状の支持板（１）であって、空洞部Ａ（１０）と空洞部Ｂ（１１）の上部から刷毛（５）を差込み、柄部（６）を横にスライドさせることでゴム（４）の弾圧が柄部（６）に伝わり、支持板Ａ面（２）または支持板Ｂ面（３）に強く押し当てられ圧着によって、刷毛（５）をペンキ缶（７）の内部に吊り上げた状態で収納し保管することができる直線と曲線の形状で形成したことを、特徴とする刷毛を保管する吊り具。
【請求項３】
前記支持板Ａ面（２）と前記支持板Ｂ面（３）の中央部位に少なくとも一箇所以上の溝（８）を施した前記支持板（１）と、ペンキ缶（７）の端末上部に接合し安定的に設置するための切り込み部（９）と、を備えた支持板（１）を形成した前記支持板（１）を設け、収縮力を備えた状態のゴム（４）または同様の弾力性を有する超弾性特性の金属を溝（８）に装着した吊り具（１３）によって、ゴム（４）のズレ落ちを防ぎ、より多くの刷毛（５）をペンキ缶（７）の内部に吊り上げた状態に保管することができることを、特徴とする請求項１または請求項２に記載の刷毛を保管する吊り具。
【請求項４】
前記支持板（１）の両端末部位に凸形状の留め部（１４）を少なくとも１つ以上設け、前記支持板Ａ面（２）と前記支持板Ｂ面（３）に其々２つのゴム（４）を留め部（１４）に取り付けることにより、何れかのゴム（４）が切断した場合においても一方のゴム（４）によって吊り具（１３）の機能が保持されることを、特徴とする請求項１から請求項３のいずれか一項に記載の刷毛を保管する吊り具。
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
支持板（１）は、長方形、三角形、四角形、楕円形の形状で、支持板（１）の両側面部の支持板Ａ面（２）または支持板Ｂ面（３）に収縮力を備えた状態のゴム（４）を支持板（１）に装着した吊り具（１３）であって、刷毛（５）の柄部（６）を支持板Ａ面（２）または支持板Ｂ面（３）とゴム（４）との間に差し込むことで、ゴム（４）の弾圧が柄部（６）に伝わり支持板Ａ面（２）または支持板Ｂ面（３）に押し当てられ圧着によって、刷毛（５）を吊り上げた状態で固定し保管することができることを、特徴とする刷毛を保管する吊り具。
【請求項２】
断面が略Ｓ字形状の前記支持板（１）に収縮力を備えた状態のゴム（４）を囲うように装着し、支持板（１）とゴム（４）との間に空洞部Ａ（１０）と空洞部Ｂ（１１）が設けられ、ゴム（４）の弾圧を均等な割合で多種多様の刷毛（５）の柄部（６）に伝える形状の吊り具（１３）であって、空洞部Ａ（１０）と空洞部Ｂ（１１）の上部から刷毛（５）を差込み、柄部（６）を横にスライドさせることでゴム（４）の弾圧が柄部（６）に伝わり、支持板Ａ面（２）または支持板Ｂ面（３）に強く押し当てられ圧着によって、刷毛（５）をペンキ缶（７）の内部に吊り上げた状態で収納し保管することができる直線と曲線の形状で形成したことを、特徴とする刷毛を保管する吊り具。
【請求項３】
前記支持板（１）の前記支持板Ａ面（２）と前記支持板Ｂ面（３）の中央部位に少なくとも一箇所以上の溝（８）を施し、前記支持板（１）にペンキ缶（７）の端末上部に接合し安定的に設置するための切り込み部（９）を設け、収縮力を備えた状態のゴム（４）を装着した吊り具（１３）によって、ゴム（４）のズレ落ちを防ぎ、より多くの刷毛（５）をペンキ缶（７）の内部に吊り上げた状態に保管することができることを、特徴とする請求項１または請求項２に記載の刷毛を保管する吊り具。
【請求項４】
前記支持板（１）の両端末部位に凸形状の留め部（１４）を少なくとも１つ以上設け、前記支持板Ａ面（２）と前記支持板Ｂ面（３）に其々のゴム（４）を留め部（１４）を用いて取り付けることにより、何れかのゴム（４）が切断した場合においても一方のゴム（４）によって吊り具（１３）の機能が保持されることを、特徴とする請求項１から請求項３のいずれか一項に記載の刷毛を保管する吊り具。
【手続補正書】
【提出日】平成23年10月14日(2011.10.14)
【手続補正１】
【補正対象書類名】実用新案登録請求の範囲
【補正対象項目名】全文
【補正方法】変更
【補正の内容】
【実用新案登録請求の範囲】
【請求項１】
支持板（１）は、長方形、三角形、四角形、楕円形の形状で、支持板（１）の両側面部の支持板Ａ面（２）または支持板Ｂ面（３）に収縮力を備えた状態のゴム（４）を支持板（１）に装着した吊り具（１３）であって、刷毛（５）の柄部（６）を支持板Ａ面（２）または支持板Ｂ面（３）とゴム（４）との間に差し込むことで、ゴム（４）の弾圧が柄部（６）に伝わり支持板Ａ面（２）または支持板Ｂ面（３）に押し当てられ圧着によって、刷毛（５）を吊り上げた状態で固定し保管することができることを、特徴とする刷毛を保管する吊り具。
【請求項２】
断面が略Ｓ字形状の前記支持板（１）に収縮力を備えた状態のゴム（４）を囲うように装着し、支持板（１）とゴム（４）との間に空洞部Ａ（１０）と空洞部Ｂ（１１）が設けられ、ゴム（４）の弾圧を均等な割合で多種多様の刷毛（５）の柄部（６）に伝える形状の吊り具（１３）であって、空洞部Ａ（１０）と空洞部Ｂ（１１）の上部から刷毛（５）を差込み、柄部（６）を横にスライドさせることでゴム（４）の弾圧が柄部（６）に伝わり、支持板Ａ面（２）または支持板Ｂ面（３）に強く押し当てられ圧着によって、刷毛（５）をペンキ缶（７）の内部に吊り上げた状態で収納し保管することができる直線と曲線の形状で形成したことを、特徴とする刷毛を保管する吊り具。
【請求項３】
前記支持板（１）の前記支持板Ａ面（２）と前記支持板Ｂ面（３）の中央部位に少なくとも一箇所以上の溝（８）を施し、前記支持板（１）にペンキ缶（７）の端末上部に接合し安定的に設置するための切り込み部（９）を設け、収縮力を備えた状態のゴム（４）を溝（８）に装着した吊り具（１３）によって、ゴム（４）のズレ落ちを防ぎ、より多くの刷毛（５）をペンキ缶（７）の内部に吊り上げた状態に保管することができることを、特徴とする請求項１または請求項２に記載の刷毛を保管する吊り具。
【請求項４】
前記支持板（１）の両端末部位に凸形状の留め部（１４）を少なくとも１つ以上設け、前記支持板Ａ面（２）と前記支持板Ｂ面（３）に其々のゴム（４）を留め部（１４）を用いて取り付けることにより、何れかのゴム（４）が切断した場合においても一方のゴム（４）によって吊り具（１３）の機能が保持されることを、特徴とする請求項１から請求項３のいずれか一項に記載の刷毛を保管する吊り具。